(57)【要約】【課題】主電源の電力源と同一の電力源から待機電源が受電する電力を実質的にゼロにすることが可能な電源装置、該電源装置を備える電気機器、表示装置及びテレビジョン受信機を提供する。【解決手段】電源制御部３が電源回路４１をオンしている間に、電源回路４１が商用電源（外部電源）５から受電してキャパシタ（蓄電器）４２を充電し、充電されたキャパシタ４２から電源制御部３が受電して動作する。更に、映像ソース機器（外部機器）９と接続するためのＨＤＭＩ端子（外部接続部）２６に含まれる受電端子２６１とキャパシタ４２との間にリレー接点３８ａが介装されており、電源制御部３が検出したキャパシタ４２の電圧がＶ１（所定の電圧）より低い場合に、リレー接点３８ａを閉じる。【選択図】図２
2014064369.tif 000002
【特許請求の範囲】
【請求項１】
外部電源から受電する電源回路と、該電源回路により充電される蓄電器と、該蓄電器から受電して前記電源回路をオン／オフする制御部とを備える電源装置において、
外部機器から受電するための受電端子を含む外部接続部と、
前記受電端子及び蓄電器の間に介装されたスイッチとを備え、
前記制御部は、
前記蓄電器の電圧を検出する検出手段を有し、
該検出手段が検出した電圧が所定の電圧より低い場合、前記スイッチをオンするようにしてあること
を特徴とする電源装置。
【請求項２】
前記制御部は、前記検出手段が検出した電圧が前記所定の電圧より高い電圧以上である場合、前記スイッチをオフするようにしてあることを特徴とする請求項１に記載の電源装置。
【請求項３】
前記スイッチ及び蓄電器の間に電圧変換回路及び／又は電流制限回路を介装してあることを特徴とする請求項１又は２に記載の電源装置。
【請求項４】
前記外部接続部は、ＨＤＭＩ端子であり、
前記受電端子は、ＤＤＣ２Ｂ規格で定められた５Ｖ電源線から受電するためのものであること
を特徴とする請求項１から３の何れか１項に記載の電源装置。
【請求項５】
請求項１から４の何れか１項に記載の電源装置と、遠隔操作装置からの操作信号を受信する操作信号受信部とを備える電気機器において、
前記操作信号受信部は、前記電源装置が備える蓄電器から受電し、
前記電源装置が備える制御部は、前記操作信号受信部が電源のオン／オフに係る操作信号を受信した場合、前記電源回路をオン／オフするようにしてあること
を特徴とする電気機器。
【請求項６】
請求項５に記載の電気機器と、
該電気機器が備える電源装置から受電して映像信号に基づく映像を表示する表示部と
を備えることを特徴とする表示装置。
【請求項７】
請求項６に記載の表示装置と、
テレビジョン放送を受信する放送信号受信部とを備え、
該放送信号受信部にて受信したテレビジョン放送に基づいて、前記表示装置に映像を表示するようにしてあること
を特徴とするテレビジョン受信機。
【発明の詳細な説明】
【技術分野】
【０００１】
本発明は、電源回路により充電される蓄電器から受電して前記電源回路をオン／オフする制御部を備える電源装置、電気機器、表示装置及びテレビジョン受信機に関する。
【背景技術】
【０００２】
テレビジョン受信機等のＡＶ機器に代表される電気機器の多くは、主要部に給電する主電源をオフしている間、主電源のオン指示を待ち受ける待機状態となる。電気機器が待機状態にある場合、例えばリモートコントローラからの操作信号を受信する操作信号受信部と、電源オンに係る操作信号を受け付けて主電源をオンする制御部とは、主電源の電力源と同一の電力源から僅かな電力を受電する待機電源によって動作している。このため、電気機器の主電源をオフしている間であっても、上記電力源の消費電力がゼロにはならない期間が存在する。
【０００３】
一方、近年の環境問題に対する関心の高まりによって、電気機器の消費電力の更なる削減が求められており、待機状態における消費電力の削減もその例外ではない。これに対し、特許文献１には、充電電池（蓄電器）に逆流防止ダイオードを介して太陽電池が接続されており、太陽電池から充電電池に充電電流を供給することによって、待機状態における商用電源の消費電力を抑制する待機電力制御回路が開示されている。
【先行技術文献】
【特許文献】
【０００４】
【特許文献１】特開平１１−１２２８４２号公報
【発明の概要】
【発明が解決しようとする課題】
【０００５】
しかしながら、特許文献１に開示された技術では、太陽電池に十分な太陽光が照射されない環境で電気機器を使用した場合に、商用電源の消費電力を実質的にゼロにすることができないという問題があった。
【０００６】
本発明は斯かる事情に鑑みてなされたものであり、その目的とするところは、主電源の電力源と同一の電力源から待機電源が受電する電力を実質的にゼロにすることが可能な電源装置、該電源装置を備える電気機器、表示装置及びテレビジョン受信機を提供することにある。
【課題を解決するための手段】
【０００７】
本発明に係る電源装置は、外部電源から受電する電源回路と、該電源回路により充電される蓄電器と、該蓄電器から受電して前記電源回路をオン／オフする制御部とを備える電源装置において、外部機器から受電するための受電端子を含む外部接続部と、前記受電端子及び蓄電器の間に介装されたスイッチとを備え、前記制御部は、前記蓄電器の電圧を検出する検出手段を有し、該検出手段が検出した電圧が所定の電圧より低い場合、前記スイッチをオンするようにしてあることを特徴とする。
【０００８】
本発明にあっては、制御部が電源回路をオンしている間に、電源回路が外部電源から受電して蓄電部を充電し、充電された蓄電部から制御部が受電して動作する。更に、外部機器と接続するための外部接続部に含まれる受電端子と蓄電器との間にスイッチが介装されており、制御部が検出した蓄電器の電圧が所定の電圧より低い場合に、前記スイッチをオンする。
これにより、電源回路をオフしている間、又は電源回路に外部電源から電力が供給されない間に、蓄電器の電圧が所定の電圧より低下した場合、受電端子を介して外部機器から受電した電力で蓄電器を充電する。
【０００９】
本発明に係る電源装置は、前記制御部は、前記検出手段が検出した電圧が前記所定の電圧より高い電圧以上である場合、前記スイッチをオフするようにしてあることを特徴とする。
【００１０】
本発明にあっては、制御部が検出した蓄電器の電圧が、所定の電圧より高い電圧以上となった場合、受電端子を介して外部機器から受電するためのスイッチをオフする。
これにより、受電端子を介して外部機器から受電する期間が必要最小限に抑えられる。
【００１１】
本発明に係る電源装置は、前記スイッチ及び蓄電器の間に電圧変換回路及び／又は電流制限回路を介装してあることを特徴とする。
【００１２】
本発明にあっては、受電端子を介して外部機器から受電するためのスイッチと蓄電器との間に、電圧変換回路及び／又は電流制限回路を介装する。
これにより、電圧変換回路を介装した場合は、受電端子から受電した電圧が、制御部の動作に適した電圧に変換される。また電流制限回路を介装した場合は、受電端子から受電する間に外部機器から流入する電流が適当に制限される。
【００１３】
本発明に係る電源装置は、前記外部接続部は、ＨＤＭＩ端子であり、前記受電端子は、ＤＤＣ２Ｂ規格で定められた５Ｖ電源線から受電するためのものであることを特徴とする。
【００１４】
本発明にあっては、外部機器と接続するための外部接続部がＨＤＭＩ（High-Definition Multimedia Interface：登録商標）規格に準拠するＨＤＭＩ端子であり、ＨＤＭＩ規格が対応するＤＤＣ（Display Data Channel）２Ｂ規格で定められた５Ｖ電源線から受電端子を介して受電する。
これにより、ＨＤＭＩに準拠するソース機器から供給される５Ｖ電源によって、蓄電器が適宜充電される。
【００１５】
本発明に係る電気機器は、上述の電源装置と、遠隔操作装置からの操作信号を受信する操作信号受信部とを備える電気機器において、前記操作信号受信部は、前記電源装置が備える蓄電器から受電し、前記電源装置が備える制御部は、前記操作信号受信部が電源のオン／オフに係る操作信号を受信した場合、前記電源回路をオン／オフするようにしてあることを特徴とする。
【００１６】
本発明にあっては、遠隔操作装置からの操作信号を受信する操作信号受信部が、上述の蓄電器から受電して動作するようにしてあり、操作信号受信部が電源のオン／オフに係る操作信号を受信した場合に、操作信号に応じて電源回路をオン／オフする。
これにより、主電源の電力源と同一の電力源から待機電源が受電する電力を実質的にゼロにすることが可能な電源装置を備える電気機器にて、主電源のオン／オフが、遠隔操作装置から制御される。
【００１７】
本発明に係る表示装置は、上述の電気機器と、該電気機器が備える電源装置から受電して映像信号に基づく映像を表示する表示部とを備えることを特徴とする。
【００１８】
本発明にあっては、映像信号に基づく映像を表示する表示部が、上述の電気機器が備える電源装置から受電するため、主電源の電力源と同一の電力源から待機電源が受電する電力を実質的にゼロにすることが可能な電源装置が、表示装置に適用される。
【００１９】
本発明に係るテレビジョン受信機は、上述の表示装置と、テレビジョン放送を受信する放送信号受信部とを備え、該放送信号受信部にて受信したテレビジョン放送に基づいて、前記表示装置に映像を表示するようにしてあることを特徴とする。
【００２０】
本発明にあっては、放送信号受信部で受信したテレビジョン放送に基づいて上述の表示装置に映像を表示するため、主電源の電力源と同一の電力源から待機電源が受電する電力を実質的にゼロにすることが可能な電源装置がテレビジョン受信機に適用される。
【発明の効果】
【００２１】
本発明によれば、主電源としての電源回路をオフしている間、又は電源回路に外部電源から電力が供給されない間に、待機電源としての蓄電器の電圧が所定の電圧より低下した場合、受電端子を介して外部機器から受電した電力で蓄電器を充電する。
従って、主電源の電力源と同一の電力源から待機電源が受電する電力を実質的にゼロにすることが可能となる。
【図面の簡単な説明】
【００２２】
【図１】本発明に係るテレビジョン受信機の構成例を示すブロック図である。
【図２】本発明に係る電源装置の構成例を示すブロック図である。
【図３】各リレー接点の開閉タイミング及びキャパシタの電圧の時間変化を示すタイミングチャートである。
【図４】キャパシタの電圧を検出してリレー接点を開閉するサブＣＰＵの処理手順を示すフローチャートである。
【発明を実施するための形態】
【００２３】
以下、本発明をその実施の形態を示す図面に基づいて詳述する。
図１は、本発明に係るテレビジョン受信機の構成例を示すブロック図である。図中１はテレビジョン受信機であり、テレビジョン受信機１は、テレビジョン放送の放送チャンネルを選局して放送信号を受信し、受信した放送信号に基づいて映像を表示部１５に表示すると共に、音声をスピーカ１８から出力する。テレビジョン受信機１には、リモートコントローラ（遠隔操作装置：以下、リモコンという）６が付属している。
【００２４】
テレビジョン受信機１のチューナ部１１は、図示しないアンテナに接続されている。チューナ部１１は、選局部２４によって放送チャンネルを選局して放送信号を受信し、受信した放送信号を復調部１２に与える。復調部１２は、放送信号を復調してテレビジョン放送に係るデジタルデータ（トランスポートストリーム  以下ＴＳ信号という）を生成し、生成したＴＳ信号を分離部１３に与える。チューナ部１１及び復調部１２が放送信号受信部に対応する。
【００２５】
復調部１２が分離部１３へ与えるＴＳ信号には、テレビジョン放送に係る番組の映像データ及び音声データ、並びに番組情報等が含まれている。分離部１３は、与えられたＴＳ信号を映像データ、音声データ及び番組情報等に分離する。分離部１３は、分離した映像データを映像処理部１４に与え、音声データを音声処理部１７に与え、番組情報を番組情報処理部１６に与える。
【００２６】
映像処理部１４は、分離部１３から与えられた映像データをデコードし、例えばフレーム画像に対してガンマ補正などの種々の画像処理を行った後、表示部１５の表示に適した映像信号に変換し、変換した映像信号を表示部１５に出力する。表示部１５は、例えば液晶パネルなどの表示デバイスを用いて構成される。表示部１５は、映像処理部１４から与えられた映像信号に基づいて映像を表示する。
【００２７】
分離部１３から番組情報処理部１６へ与えられる番組情報は、放送予定の番組の一覧（いわゆる番組表）又は各番組に関する情報（例えば番組が映画であれば出演者及び制作年等の情報）等である。番組情報処理部１６は、ユーザの操作に応じて表示部１５に番組情報を表示するため、必要な番組情報を抽出して映像処理部１４に与える。映像処理部１４は、番組情報処理部１６から与えられた番組情報を表示部１５に表示させる。
【００２８】
音声処理部１７は、分離部１３から与えられた音声データをデコードし、ユーザの設定した音量となるように増幅した音声信号をスピーカ１８へ出力する。スピーカ１８は、音声処理部１７から与えられた音声信号に基づいて音声出力を行う。
【００２９】
テレビジョン受信機１は、メインＣＰＵ（Central Processing Unit ）２１、ＲＯＭ（Read Only Memory ）２２、ＲＡＭ（Random Access Memory ）２３、及びＨＤＭＩ通信部２５を備えており、これらの各部が、上述の選局部２４と共に、バス２９を介してデータの授受を行う。上述の映像処理部１４、番組情報処理部１６及び音声処理部１７もバス２９に接続されている。メインＣＰＵ２１は、ＲＯＭ２２に予め記憶された制御プログラムを読み出して実行することにより、テレビジョン受信機１内の各部の動作を制御する。
【００３０】
ＨＤＭＩ通信部２５は、光ディスク装置等のＨＤＭＩインタフェースを有する映像ソース機器（外部機器）９と接続されており、該映像ソース機器９からＨＤＭＩデータを受信する処理を行う。本実施の形態では、テレビジョン受信機１が映像シンク機器である。ＨＤＭＩ通信部２５は、受信したＨＤＭＩデータに含まれるＴＭＤＳ信号をデコードして分離部１３に与える。分離部１３は、ＨＤＭＩ通信部２５から与えられた信号を映像データ及び音声データに分離して、夫々映像処理部１４及び音声処理部１７に与える。
【００３１】
テレビジョン受信機１は、また、サブＣＰＵ３１を有する電源制御部（制御部）３の制御によって、装置内の各部に電源を供給する電源装置１０を備える。メインＣＰＵ２１とサブＣＰＵ３１とは、図示しないＣＰＵ間インタフェースによって通信可能に接続されている。電源制御部３には、主電源のオン／オフ操作を受け付けるための電源キー部３４と、リモコン６からの操作信号を受信する操作信号受信部３５とが接続されている。
【００３２】
リモコン６は、放送チャンネルに対応する番号が付与されているチャンネルキー及びその他の操作キーを有する操作部６１を備える。操作部６１が操作された場合、操作に応じて赤外線で操作信号が操作信号受信部３５に対して送信されるように構成されており、使用者がテレビジョン受信機１の各種操作を遠隔で行うことが可能となる。例えば、操作部６１のチャンネルキーが押下された場合に、押下されたチャンネルキーの番号（リモコン番号）がサブＣＰＵ３１及びメインＣＰＵ２１を介して選局部２４に与えられることにより、リモコン番号に対応する放送チャンネルが選局されて、使用者が所望するテレビジョン放送の放送信号が受信される。
【００３３】
次に、電源装置１０の詳細について説明する。
図２は、本発明に係る電源装置１０の構成例を示すブロック図である。電源装置１０は、商用電源５等の外部電源からリレー接点３６ａを介して受電する電源回路４１と、該電源装置１０によりリレー接点３７ａを介して充電される電気二重層キャパシタ（蓄電器：以下、単にキャパシタという）４２とを備える。電源装置１０は、また、映像ソース機器９と接続するためのＨＤＭＩ端子（外部接続部）２６と、該ＨＤＭＩ端子２６にリレー接点３８ａ（スイッチ）を介して入力側が接続されており、出力側がキャパシタ４２に接続されている電圧変換回路４３とを備える。
【００３４】
本実施の形態では、電源回路４１が主電源であり、キャパシタ４２が待機電源である。電源装置１０及び操作信号受信部３５が電気機器に対応する。また、少なくとも表示部１５を備える電気機器が表示装置に対応する。
なお、キャパシタ４２に代えて、リチウムイオン電池等の二次電池からなる蓄電池を用いてもよい。
【００３５】
電源回路４１は、メインＣＰＵ２１、ＲＯＭ２２、ＲＡＭ２３等のバス２９に接続されているブロックと、チューナ部１１、復調部１２、分離部１３等の放送信号の受信及び分離に係るブロックと、表示部１５とに対して電源電圧を供給する。キャパシタ４２は、電源制御部３、電源キー部３４及び操作信号受信部３５に対して電源電圧を供給する。リレー接点３６ａ，３７ａ，３８ａの夫々は、電源制御部３がリレーコイル３６，３７，３８を励磁することにより閉じる（オンする）ようになっている。
【００３６】
ＨＤＭＩ端子２６は、上述のＴＭＤＳ信号のデータ線及びクロック線にアサインされた端子と、自身（テレビジョン受信機１）の構成、状態等を表すＥＤＩＤ（Extended Display Identification Data）を映像ソース機器９に伝達するためのＤＤＣ信号等にアサインされた複数の端子とを含んでなる。ＤＤＣ信号等にアサインされた端子には、５Ｖの電圧を映像ソース機器９から受電するための受電端子２６１が含まれている。具体的には、映像ソース機器９が備える給電回路９１から、ＨＤＭＩ端子の１８番ピンを介して５Ｖ電源が供給される。
なお、ＨＤＭＩ端子２６に代えて、上述の５Ｖのような直流電源が外部機器から供給されるインタフェースに適合する端子を用いてもよい。
【００３７】
電圧変換回路４３は、リレー接点３７ａが開いて（オフして）いる状態で、リレー接点３８ａが閉じた場合、受電端子２６１を介して５Ｖの電圧を受電し、受電した電圧を例えば３．３Ｖから５Ｖまでの所定電圧に変換し、変換した電圧でキャパシタ４２を充電する。電源制御部３等が５Ｖ電源で動作する場合は、電圧変換回路４３を抵抗器又は導線に置き換えることにより、受電した電圧でキャパシタ４２を充電するようにしてもよい。
【００３８】
上述した構成において、リレー接点３６ａが閉じて電源回路４１（主電源）がオンしている場合、リレー接点３７ａが閉じており、リレー接点３８ａが開いている。このため、キャパシタ４２が電圧変換回路４３によって、例えば３．３Ｖまでフル充電されている。以下ではタイミングチャートを用いて説明する。
【００３９】
図３は、各リレー接点３６ａ，３７ａ，３８ａの開閉タイミング及びキャパシタ４２の電圧の時間変化を示すタイミングチャートである。図３に示す５つのタイミング図では、何れも同一の時間軸を横軸としてあり、図の上からリレー接点３６ａ、リレー接点３７ａ、電源回路４１、キャパシタ４２の電圧、及びリレー接点３８ａについて、オン／オフ状態又は電圧を縦軸に示してある。
【００４０】
時刻ｔ０で、電源キー部３４の電源キーが押下されるか、又は操作部６１における電源キーの押下に係る操作信号が操作信号受信部３５で受信されて、主電源のオフ操作が受け付けられた場合、電源制御部３の制御により、リレー接点３６ａ，３７ａが開く。これにより、電源回路４１がオフし、キャパシタ４２への充電が停止する。その後、時刻ｔ０からｔ１までの間、キャパシタ４２の電圧が緩やかに低下する。これは、電源制御部３，電源キー部３４及び操作信号受信部３５がキャパシタ４２から受電することによって、キャパシタ４２が放電するためである。
【００４１】
電源制御部３は、キャパシタ４２の電圧を適時検出しており、時刻ｔ１でキャパシタ４２の電圧がＶ１より低くなった場合、電源制御部３の制御によりリレー接点３８ａが閉じる。これにより、電圧変換回路４３が、受電端子２６１を介して受電した５Ｖの電圧を変換し、変換した電圧でキャパシタ４２を充電する。ここでのＶ１は、電源制御部３，電源キー部３４及び操作信号受信部３５が受電して正常に動作し得る下限の電圧より高い電圧（例えば２．２Ｖ）である。
【００４２】
その後、時刻ｔ２でキャパシタ４２の電圧がＶ２以上となった場合、電源制御部３の制御により、リレー接点３８ａが開く。これにより、電圧変換回路４３によるキャパシタ４２の充電が停止し、キャパシタ４２の電圧が再び低下し始める。ここでの電圧Ｖ２は、Ｖ１より高い電圧（例えば３．０Ｖ）である。キャパシタ４２を３．３Ｖまで充電しないのは、ＤＤＣ２Ｂ規格で定められた５Ｖ電源線から給電可能な電流の上限が５０Ａに制限されており、給電回路９１に長時間の給電負荷をかけないようにするためである。
【００４３】
なお、時刻ｔ１から所定時間だけリレー接点３８ａを閉じて、キャパシタ４２の充電時間を制御するようにしてもよい。また、電圧変換回路４３でキャパシタ４２に対する充電電流が制限されるようにしてもよいし、電圧変換回路４３に代えて電流制限部（電流制限回路）を備えるようにしてもよい。
【００４４】
時刻ｔ２から低下し始めたキャパシタ４２の電圧が、時刻ｔ３で再びＶ１より低い電圧となった場合、時刻ｔ１の場合と同様にリレー接点３８ａが閉じ、電圧変換回路４３によるキャパシタ４２の充電が始まる。以後、時刻ｔ３からｔ５までの間では、キャパシタ４２の電圧及びリレー接点３８ａの開閉タイミングが、時刻ｔ１からｔ３までの間におけるこれらの電圧及び開閉タイミングと同様となる。時刻ｔ５以降についても同様である。
【００４５】
以下では、上述した電源装置１０の電源制御部３の動作を、それを示すフローチャートを用いて説明する。以下に示す処理は、電源制御部３が備える図示しないＲＯＭに予め格納された制御プログラムに従ってサブＣＰＵ３１により実行される。
図４は、キャパシタ４２の電圧を検出してリレー接点３８ａを開閉するサブＣＰＵ３１の処理手順を示すフローチャートである。図４の処理は、電源回路４１（主電源）がオフであるか否かに関わらず適時起動される。主電源がオンの場合にも図４の処理が起動されるのは、電源制御部が主電源をオンする制御を行ったにも関わらず、商用電源５から電力が供給されない場合があるためである。
【００４６】
図４の処理が起動された場合、サブＣＰＵ３１は、キャパシタ４２の電圧（Ｖｃ）を検出し（Ｓ１１：蓄電器の電圧を検出する手段）、ＶｃがＶ１より低いか否かを判定する（Ｓ１２）。ＶｃがＶ１より低い場合（Ｓ１２：ＹＥＳ）、キャパシタ４２が待機電源としての下限の電圧まで低下しているため、サブＣＰＵ３１は、リレー接点３８ａを閉じて（Ｓ１３）ＤＤＣ２Ｂ規格で定められた５Ｖの電圧を電圧変換回路４３に受電させた後、図４の処理を終了する。
【００４７】
ＶｃがＶ１より低くない場合（Ｓ１２：ＮＯ）、サブＣＰＵ３１は、ＶｃがＶ１より高いＶ２以上であるか否かを判定し（Ｓ１４）、Ｖ２以上ではない場合（Ｓ１４：ＮＯ）、リレー接点３８ａを開いたままにして図４の処理を終了する。ＶｃがＶ２以上である場合（Ｓ１４：ＹＥＳ）、キャパシタ４２が待機電源として十分な電圧まで充電されているため、サブＣＰＵ３１は、リレー接点３８ａを開いて（Ｓ１５）、電圧変換回路４３によるキャパシタ４２の充電を停止させた後、図４の処理を終了する。
【００４８】
なお、時刻ｔ０以降の任意の時点で電源キー部３４の電源キーが押下されるか、又は操作部６１における電源キーの押下に係る操作信号が操作信号受信部３５で受信されて、主電源のオン操作が受け付けられた場合、電源制御部３の制御により、リレー接点３８ａが開き、リレー接点３６ａ，３７ａが閉じる（図示せず）。これにより、電源回路４１がオンし、キャパシタ４２が再び３．３Ｖまで充電される。
【００４９】
以上のように本実施の形態によれば、電源制御部が電源回路をオンしている間に、電源回路が商用電源（外部電源）から受電してキャパシタ（蓄電器）を充電し、充電されたキャパシタから電源制御部が受電して動作する。更に、映像ソース機器（外部機器）と接続するためのＨＤＭＩ端子（外部接続部）に含まれる受電端子とキャパシタとの間にリレー接点が介装されており、電源制御部が検出したキャパシタの電圧がＶ１（所定の電圧）より低い場合に、前記リレー接点を閉じる。
これにより、主電源としての電源回路をオフしている間、又は電源回路に商用電源から電力が供給されない間に、待機電源としてのキャパシタの電圧がＶ１より低下した場合、受電端子を介して映像ソース機器から受電した電力を、例えば抵抗器又は導線でキャパシタに送給し、キャパシタを充電する。
従って、主電源の電力源と同一の電力源から待機電源が受電する電力を実質的にゼロにすることが可能となる。
【００５０】
また、電源制御部が検出したキャパシタの電圧が、Ｖ１より高い電圧であるＶ２以上となった場合、受電端子を介して映像ソース機器（外部機器）から受電するためのリレー接点を開く。
これにより、受電端子を介して外部機器から受電する期間を必要最小限に抑えることが可能となる。
【００５１】
更に、受電端子を介して映像ソース機器（外部機器）から受電するためのリレー接点とキャパシタとの間に、電圧変換回路、電流制限機能を有する電圧変換回路、又は電流制限回路を介装する。
従って、電圧変換回路を介装した場合は、受電端子から受電した電圧を、制御部の動作に適した電圧に変換することが可能となる。また電流制限機能を有する電圧変換回路、又は電流制限回路を介装した場合は、受電端子から受電する間に外部機器から流入する電流を適当に制限することが可能となる。
【００５２】
更にまた、外部接続部がＨＤＭＩ規格に準拠するＨＤＭＩ端子であり、ＨＤＭＩ規格が対応するＤＤＣ２Ｂ規格で定められた５Ｖ電源線から受電端子を介して受電する。
従って、ＨＤＭＩに準拠するソース機器から供給される５Ｖ電源によって、蓄電器を適宜充電することが可能となる。
【００５３】
更にまた、リモートコントローラ（遠隔操作装置）からの操作信号を受信する操作信号受信部が、上述のキャパシタから受電して動作するようにしてあり、操作信号受信部がリモコンの操作部における電源キーの押下に係る操作信号を受信した場合に、電源制御部が操作信号に応じて電源回路（主電源）をオン／オフする。
これにより、主電源の電力源と同一の電力源から待機電源が受電する電力を実質的にゼロにすることが可能な電源装置を備える電気機器にて、主電源のオン／オフを、遠隔操作装置から制御することが可能となる。
【００５４】
更にまた、映像信号に基づく映像を表示する表示部が、上述の電気機器が備える電源装置から受電するため、主電源の電力源と同一の電力源から待機電源が受電する電力を実質的にゼロにすることが可能な電源装置を、表示装置に適用することが可能となる。
【００５５】
更にまた、チューナ部及び復調部で受信したテレビジョン放送に基づいて上述の表示装置に映像を表示するため、主電源の電力源と同一の電力源から待機電源が受電する電力を実質的にゼロにすることが可能な電源装置をテレビジョン受信機に適用することが可能となる。
【００５６】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【符号の説明】
【００５７】
１  テレビジョン受信機
１０  電源装置
１１  チューナ部
１３  分離部
１５  表示部
２１  メインＣＰＵ
２２  ＲＯＭ
２５  ＨＤＭＩ通信部
２６  ＨＤＭＩ端子
３  電源制御部
３１  サブＣＰＵ
３５  操作信号受信部
３６ａ、３７ａ、３８ａ  リレー接点
４１  電源回路
４２  電気二重層キャパシタ
４３  電圧変換回路
６  リモートコントローラ
６１  操作部
９  映像ソース機器
【図１】
2014064369.tif 000003
【図２】
2014064369.tif 000004
【図３】
2014064369.tif 000005
【図４】
2014064369.tif 000006